(57)【要約】【課題】デジタル放送受信機と一体化した会員制通信回線経由投票端末機とすることにより投票申込情報照会用応答ソフトのバージョンアップの自動的更新、最新情報のユーザへの表示が可能な投票端末機を提供する。【解決手段】デジタル放送受信機部に勝馬投票端末機を組み込み、一体化して投票申込、その情報照会は通信回線で勝馬投票管理システム側と交信して行い、応答ソフト、競馬場に関する一般情報は所定の時刻毎に衛星放送を介して自動的にユーザ端末機の所定の記憶領域、データベースへ蓄積或は更新して、常に最新の応答ソフトで処理し、最新の情報を表示できる端末機を提供する。【選択図】　　　　　図１
2004062294.tif 000002
【特許請求の範囲】
【請求項１】
勝馬投票所の各発信端末から通信回線経由で送信される投票データを集計する計算センター及びその投票に関する各種情報を蓄積する情報センターよりなる総合センターと交信して勝馬投票の受付及びその結果処理業務とユーザ要求情報対応処理業務を行う投票・情報照会応答サブシステムに通信回線を経由して接続するためのモデムを含む通信回線接続部と、
前記総合センターに蓄積されている開催日／出馬表／オッズを少なくとも含む情報データと、前記投票・情報照会応答サブシステムとの通信接続及び投票・情報照会データ応答手順を記録した応答ソフトと、競馬場からのレース映像とが送信されるＣＳ／ＢＳ放送局から通信／放送衛星または地上デジタル波を経由した電波を受信し、前記情報データ及び応答ソフトのデジタルデータを出力すると共に、前記レース映像のカラーテレビ信号を出力するデジタル放送受信機と、
前記デジタル放送受信機が出力する応答ソフトに基づいて、前記通信回線接続部を介して前記投票・情報照会応答サブシステムとの間で、投票の受付及びその結果データとユーザ要求情報データの交信を行うと共に、前記デジタル放送受信機が出力した投票に必要とする情報データを所定の記憶領域であるデータベースへ逐次蓄積し、最新情報に変更されたときはその該当するデータを自動的に更新し、常に最新の情報データを表示するための中央制御部とを備えることを特徴とするデジタル放送受信機と一体化した会員制通信回線経由勝馬投票端末機。
【請求項２】
前記中央制御部は、前記デジタル放送受信機が出力した前記情報データ及び応答ソフトをそれぞれ所定の記憶領域であるデータベースへ逐次蓄積し自動更新する情報データ／応答ソフト蓄積自動更新手段と、
前記自動更新された応答ソフトに基づいた、投票・情報照会応答サブシステムとの通信環境設定を行い、そのサブシステムと通信回線で接続するサブシステム接続手段と、
前記自動更新された応答ソフトに基づいた投票データ応答手順で投票データ入力画面を表示することによりその入力画面に投票データ入力を行って、前記応答サブシステムと交信して、投票の受付及びその結果の返信処理を行う投票受付処理手段と、
前記自動更新された応答ソフトに基づいた情報照会応答手順で情報照会データ入力画面を表示することにより、その入力画面に要求する情報照会入力を行って、前記応答サブシステムと交信し、情報照会及びその結果データ返信処理を行う情報照会応答手段とを少なくとも備えることを特徴とする請求項１記載のデジタル放送受信機を一体化した会員制通信回線経由勝馬投票端末機。
【発明の詳細な説明】
【０００１】
【発明の属する技術分野】
本発明は、勝馬投票券を現金投票所で購入する必要がなく、何時でも電話回線或はインターネットを経由して投票が行える通信回線経由投票会員向投票システムにおける勝馬投票端末機に関し、詳しくは、デジタル放送受信機と一体化した会員制通信回線経由投票端末機とすることにより投票申込情報照会用応答ソフトのバージョンアップの自動的更新、最新情報のユーザへの表示が可能な投票端末機に関する。
【０００２】
【従来の技術】
図５は、従来の投票申込・情報照会システムの構成図である。この図は、利用者の勝馬投票端末機５０、５０´と勝馬投票管理システム３０との関係を示す。ここで、２０は通信回線、９０はインターネット回線を示す。
【０００３】
勝馬投票管理システム３０は、競馬場内外投票データ発信端末群３４からの投票データを収集する計算センター及び情報センターからなる総合センター３３と、ユーザの端末機５０、５０´からそれぞれ通信回線２０、インターネット回線９０を経由する投票申込・情報照会のアクセス信号に応答する第１及び第２の応答サブシステム３１、３２よりなる。
【０００４】
ユーザの勝馬投票端末機５０には、投票申込・情報照会用応答ソフト５０ｘがインストールされており、利用者は端末機５０の応答ソフト５１ｘにより第１応答サブシステム３１に通信回線２０を介して交信し、投票申込、その結果データ、情報照会を行っていた。
【０００５】
ユーザの勝馬投票端末機５０´には端末機５０と同様に予め応答ソフト５１´ｘがインストールされており、Ｗｅｂブラウザ５１ｚを介してインターネット９０に接続し第２の応答サブシステム３２と交信し、投票申込、その結果データ、情報照会を行っていた。
【０００６】
しかしながら、以下のような問題点があった。すなわち、端末機５０、５０´にインストールされる応答ソフト５１ｘ、５１´ｘのバージョンアップについて、従来の記憶媒体の有償販売、或は前記ユーザ操作の複雑さが問題であった。
【０００７】
【発明が解決しようとする課題】
本発明は前述した問題点に鑑みてなされたものであり、従来のユーザの勝馬投票端末機５０、５１´をデジタル放送受信機部を含めた一体型の勝馬投票端末機として、その端末機に必要とする投票申込・情報照会用応答ソフトのバージョンアップについてデータ放送により前記デジタル放送受信機部で受信し、自動的更新をいつでも行えるようにする。
【０００８】
前述のバージョンアップ経費の無料化を可能とすると共に、容易なバージョンアップ更新とし、パソコン操作に抵抗のあるユーザに対してもテレビのリモコン操作に近い形での在宅投票ができる端末を提供する。さらに情報データとレース映像とをリアルタイムに受信して、ユーザのファンサービスを向上させる勝馬投票端末機を提供するにある。
【０００９】
【課題を解決するための手段】
前述の課題を解決するために本発明のデジタル放送受信機と一体化した会員制通信回線経由勝馬投票端末機は、勝馬投票所の各発信端末から通信回線経由で送信される投票データを集計する計算センター及びその投票に関する各種情報を蓄積する情報センターよりなる総合センターと交信して勝馬投票の受付及びその結果処理業務とユーザ要求情報対応処理業務を行う投票・情報照会応答サブシステムに通信回線を経由して接続するためのモデムを含む通信回線接続部と、
前記総合センターに蓄積されている開催日／出馬表／オッズを少なくとも含む情報データと、前記投票・情報照会応答サブシステムとの通信接続及び投票・情報照会データ応答手順を記録した応答ソフトと、競馬場からのレース映像とが送信されるＣＳ／ＢＳ放送局から通信／放送衛星または地上デジタル波を経由した電波を受信し、前記情報データ及び応答ソフトのデジタルデータを出力すると共に、前記レース映像のカラーテレビ信号を出力するデジタル放送受信機と、
前記デジタル放送受信機が出力する応答ソフトに基づいて、前記通信回線接続部を介して前記投票・情報照会応答サブシステムとの間で、投票の受付及びその結果データとユーザ要求情報データの交信を行うと共に、前記デジタル放送受信機が出力した投票に必要とする情報データを所定の記憶領域であるデータベースへ逐次蓄積し、最新情報に変更されたときはその該当するデータを自動的に更新し、常に最新の情報データを表示するための中央制御部とを備えることを特徴とする。
【００１０】
前記中央制御部は、前記デジタル放送受信機が出力した前記情報データ及び応答ソフトをそれぞれ所定の記憶領域であるデータベースへ逐次蓄積し自動更新する情報データ／応答ソフト蓄積自動更新手段と、
前記自動更新された応答ソフトに基づいた、投票・情報照会応答サブシステムとの通信環境設定を行い、そのサブシステムと通信回線で接続するサブシステム接続手段と、
前記自動更新された応答ソフトに基づいた投票データ応答手順で投票データ入力画面を表示することによりその入力画面に投票データ入力を行って、前記応答サブシステムと交信して、投票の受付及びその結果の返信処理を行う投票受付処理手段と、
前記自動更新された応答ソフトに基づいた情報照会応答手順で情報照会データ入力画面を表示することにより、その入力画面に要求する情報照会入力を行って、前記応答サブシステムと交信し、情報照会及びその結果データ返信処理を行う情報照会応答手段とを少なくとも備えることを特徴とする。
【００１１】
【発明の実施の形態】
本発明の実施の形態を以下図に基づいて説明する。
【００１２】
図１は、本発明のデジタル放送受信機を一体化した会員制通信回線経由勝馬投票端末機１０の構成図である。
【００１３】
図２は、その勝馬投票端末機１０を用いた投票申込・情報照会システムの構成図を示したものである。
【００１４】
図１の勝馬投票端末機１０は、少なくとも中央制御部１１、モデムを含む通信回線接続部１２、デジタル放送受信機部１３、ディスク装置１４、キー・マウス等入力装置１５、パス１９からなる。
【００１５】
ディスク装置１４は、少なくとも受信機部１３からの出力データとして所定日時毎に更新される投票申込・情報照会用応答ソフトデータベース１４ａと、投票に必要な開催日、競馬場、オッズ情報、出走馬などの情報データベース１４ｂを備える。
【００１６】
中央制御部１１は、少なくともＷｅｂブラウザ１１ｚと、情報データ／応答ソフト管理自動更新手段１１ａと、後述する勝馬投票管理システム３０の応答サブシステムとのサブシステム接続手段１１ｂと、そのサブシステムと交信するための投票受付処理手段１１ｃと、投票に関する情報照会を交信する情報照会応答手段１１ｄとからなる応答ソフト１１ｘとを備える。
【００１７】
図２は、前述したように図１に示す本発明のユーザの勝馬投票端末機１０、１０´を用いた勝馬投票管理システム３０との関係を示した投票申込・情報照会システムの構成図である。
【００１８】
勝馬投票管理システム３０は、通信回線２０を経由してアクセスするユーザ勝馬投票端末機１０に応答する第１の応答サブシステム３１と、インターネット回線９０を経由してアクセスするユーザ勝馬投票端末機１０´に応答する第２の応答サブシステム３２と、それらサブシステム３１、３２が投票・情報照会のために交信する総合センター３３と、その総合センター３３へ専用回線等で投票データを送信する競馬場内外投票データ発信端末群３４と、総合センター３３からユーザが必要とする最新の情報データを収集出力する情報コンピュータシステム３６と前記応答ソフトを生成出力する応答ソフト生成コンピュータ３７と、競馬場のレースを撮像・録画し必要に応じてそのレース映像を出力するレース撮像装置３８とからなる。
【００１９】
４０はＢＳ又はＣＳの衛星放送局を示す。衛星アンテナ４１より衛星４２を経由して放送する。その放送データ内容は、図２に示すように、情報コンピュータシステム３６よりユーザが必要とする最新の情報データと、応答ソフト生成コンピュータ３７より随時生成する応答ソフトデータと、レース撮像装置３８からのレース毎の動画映像出力データである。
【００２０】
一方、勝馬投票端末機１０は少なくとも手段１１ａ〜１１ｄを備えた応答ソフト１１ｘにより、通信回線２０を介して第１の応答サブシステム３１と交信して投票申込とその結果の処理と情報照会を行う。
【００２１】
また、衛星アンテナ１０ｂにより情報コンピュータシステム３６からの最新の情報データを受信してデータベース１４ｂにダウンロードして更新する。
【００２２】
また、応答ソフト生成コンピュータ３７からの最新バージョンの応答ソフトは、データベース１４ａに自動的にダウンロード更新される。従ってユーザは自動的に最新バージョンの応答ソフトで応答サブシステム３１と交信することとなる。また、レース撮像装置３８からの動画映像は何時でもテレビモニタ１０ａに表示できる。
【００２３】
勝馬投票端末機１０´は、Ｗｅｂブラウザ１１ｚを備え、インターネット回線９０を介して第２のサブシステム３２と交信して投票申込とその結果の処理と情報照会を行う。その交信手順を記録した応答ソフト１１´ｘは応答ソフト１１ｘと同様でよい。また、最新の情報データのデータベース１４ｂへのダウンロード更新及び応答ソフトのデータベース１４ａへのダウンロード更新も勝馬投票端末機１０と同様に行われる。また、レースの動画も同様にリアルタイムでテレビモニタ１０ａに表示できる。
【００２４】
ここで応答ソフト１１ｘ、１１´ｘの手段１１ａ〜１１ｄを以下に詳しく述べる。
【００２５】
情報データ／応答ソフト蓄積自動更新手段１１ａは、デジタル放送受信機１３が出力した情報データ及び応答ソフトをそれぞれ所定の記憶領域であるデータベース１４ｂ、１４ａへ逐次蓄積し自動更新する手段である。
【００２６】
サブシステム接続手段１１ｂは、自動更新された応答ソフト１１ｘ、１１´ｘに基づいた投票・情報照会応答サブシステムとの通信環境設定を行いそのサブシステムを通信回線で接続する手段である。
【００２７】
投票受付処理手段１１ｃは、自動更新された応答ソフト１１ｘ、１１´ｘに基づいた投票データ応答手順で投票データ入力画面で逐次表示することにより、その入力画面に投票データ入力を行なって、前記応答サブシステムと交信して投票の受付及びその結果の返信処理を行う手段である。
【００２８】
情報照会応答手段１１ｄは、自動更新された応答ソフト１１ｘ、１１´ｘに基づいた情報照会応答手順で情報照会データ入力画面を逐次表示することにより、その入力画面に要求する情報照会データ入力を行って、応答サブシステムと交信し、情報照会及びその結果データ返信処理を行う手段である。
【００２９】
次に、本発明のデジタル放送受信機を一体化した会員制通信回線経由勝馬投票端末機１０、１０´の動作の流れを図３、図４に示す。
【００３０】
図３、Ｓ３１はユーザ端末機１０、１０´の起動時を示し、Ｓ３２はデジタル受信機１３が常時受信し、データベース１４ｂ、１４ａの情報データと応答ソフトをそれぞれ最新情報と最新バージョンにしていることを示す。従って、Ｓ３３にあるように起動的には常に最新バージョンで応答サブシステムと交信できる。また、サーバはデータベースの情報データの検索結果はいつでも最新情報となっている。
【００３１】
Ｓ３４はユーザが端末機から検索申込を選択した場合を示す。先ず通信回線の通信環境設定を行ってサブシステムと接続することを示す。（手段１１ｂ）
【００３２】
Ｓ３５、Ｓ３６は投票申込入力画面を端末機へ送り、ユーザがその入力画面へ入力したデータを応答サブシステムへ送信することを示す。（手段１１ｃ）
また、Ｓ３７は、投票申し込み要求を受け付けた応答サブシステムの動作を示す。
【００３３】
Ｓ３１、Ｓ４１は応答サブシステムがそのユーザの投票データに対する受付処理を総合センター３３と交信して処理し、その結果をユーザ端末機へ通知することを示す。
【００３４】
Ｓ４２はユーザが端末機で情報照会を選択したときを示す。この場合も通信回線接続部１２を介して応答サブシステムと接続する。（手段１１ｂ）
【００３５】
Ｓ４３、Ｓ４４はその選択に対応する情報照会申込入力画面を端末機へ送信し、ユーザ端末機でその申込入力画面に入力後、応答サブシステムへ送信することを示す。
【００３６】
Ｓ４５はその情報照会申込データに基づいて、総合センター３３と交信し、その照会結果を端末機へ通知することを示す。
【００３７】
Ｓ４６は、レースが開始すればその動画をテレビモニタ１０ａに表示できることを示す。
尚、この動画は撮像装置３８で録画しておいて予め定めた適当な時刻毎に画生し、そのデータを衛星を介して放送してもよい。
【００３８】
【発明の効果】
本発明のデジタル放送受信機と一体化した会員制通信回線経由勝馬投票端末機は以下に示す効果を奏する。
【００３９】
すなわち、従来の会員制通信回線経由勝馬投票端末機における投票申込／情報照会等に関する勝馬投票管理システムとの交信手順の応答ソフトのバージョンアップは、主催者にとって多数の会員に配布する作業・コストの負担であり、また会員にとっても交換作業の負担が大きかった。この発明によれば、デジタル放送受信機と一体化した端末機により、ユーザ端末機の応答ソフトのバージョンアップは勝馬投票管理システム側により何時でも必要に応じて容易に経費をかけずに行うことができる。且つ、そのユーザ端末機の応答ソフトの更新を通信回線を介して自動的に行うことができる。
【００４０】
従って、応答ソフトの更新を無料とすることができる。しかも自動的にユーザ端末機の応答ソフトを何時でも更新できるので、勝馬投票管理システム側は容易に応答ソフトを改良することができる。
【００４１】
また、デジタル放送受信機と一体化した端末機としたことにより、利用者は、何時でも最新の投票に関する情報データを端末機のデータベースから検索することができる。
【００４２】
さらに、その放送受信機により競馬場におけるレースの映像を動画によりリアルタイムでテレビ受像機に表示させることができる。
【図面の簡単な説明】
【図１】本発明のデジタル放送受信機と一体化した会員制通信回線経由勝馬投票端末機の構成図である。
【図２】本発明の勝馬投票端末機を用いた投票申込・情報照会システムの構成図である。
【図３】本発明のデジタル放送受信機と一体化した会員制通信回線経由勝馬投票端末機の動作の流れ図である。
【図４】図３の続きの動作の流れ図である。
【図５】従来例の勝馬投票端末機を用いた投票申込・情報照会システムの構成図である。
【符号の説明】
１０、１０´　ユーザの勝馬投票端末機
１０ａ　　　　テレビモニタ
１０ｂ　　　　受信アンテナ
１１　　　　　中央制御部
１１ａ　　　　情報データ／応答ソフト蓄積自動更新手段
１１ｂ　　　　サブシステム接続手段
１１ｃ　　　　投票受付処理手段
１１ｄ　　　　情報照会応答手段
１１ｘ　　　　応答ソフト
１１ｚ　　　　Ｗｅｂブラウザ
１２　　　　　通信回線接続部
１３　　　　　デジタル放送受信機部
１４　　　　　ディスク装置
１４ａ　　　　投票申込情報照会用応答ソフトデータベース
１４ｂ　　　　投票に必要な情報データベース
１５　　　　　キー・マウス等入力装置
１９　　　　　パス
２０　　　　　通信回線
３０　　　　　勝馬投票管理システム
３１　　　　　第１の応答サブシステム
３２　　　　　第２の応答サブシステム
３３　　　　　総合センター
３４　　　　　投票データ発信端末郡
３６　　　　　情報コンピュータシステム
３７　　　　　応答ソフト生成コンピュータ
３８　　　　　レース撮像装置
４０　　　　　衛星放送局
４１　　　　　送信アンテナ
４２　　　　　衛星
９０　　　　　インターネット回線
【図１】
2004062294.tif 000003
【図２】
2004062294.tif 000004
【図３】
2004062294.tif 000005
【図４】
2004062294.tif 000006
【図５】
2004062294.tif 000007